(57)【要約】      （修正有）【課題】意図していない情報を送信してしまうことを防止できる、スマートフォンフォンを提供する。【解決手段】アプリケーションに情報を入力する情報入力部Ｚと、送信するアクションを入力する送信ボタンＷが配置されたスマートフォンにおいて、送信ボタンが、情報入力部から分離された領域に配置されている。【選択図】図２
0003228815.tif 000002
【実用新案登録請求の範囲】
【請求項１】
アプリケーションに情報を入力する情報入力部と、送信するアクションを入力する送信ボタンを含むスマートフォンの画面の配置において、上記送信ボタンが、上記情報入力部から分離された領域に配置されていることを特徴とする、スマートフォンの画面の配置。
【請求項２】
上記スマートフォンの画面が、既に送信または受信した情報の通信履歴を表示する通信履歴欄を含む第２の領域を備え、上記第２の領域とは独立にその下方に情報を入力する上記情報入力部を含む第３の領域が配置されており、上記第２の領域の内部に送信ボタンが設けられていることと、上記第２の領域の通信履歴の表示はスマートフォンの表面をスワイプすることにより移動するが、そのスワイプによって上記送信ボタンは移動しないことを特徴とする、請求項１に記載のスマートフォンの画面の配置。
【請求項３】
上記スマートフォンの画面が、既に送信または受信した情報の通信履歴を表示する通信履歴欄を含む第２の領域を備え、上記第２の領域とは独立にその下方に情報を入力する上記情報入力部を含む第３の領域が配置されており、上記第２の領域とは独立にその上方に上記送信ボタンが配置されている第４の領域を備えることを特徴とする、請求項１に記載のスマートフォンの画面の配置。
【請求項４】
上記アプリケーションが、LINEであることを特徴とする、請求項１〜３のいずれかに記載のスマートフォンの画面の配置。
【考案の詳細な説明】
【技術分野】
【０００１】
本考案は、スマートフォンの画面の配置に関するもので、特に、データ送信画面における送信ボタンの配置に関するものである。 
【背景技術】
【０００２】
スマートフォン（以下、「スマホ」と称する場合もある。）のアプリケーション（以下、「アプリ」と称する場合もある。）の中には、情報やデータをサーバ―等の外部データシステムに送る機能を備えるものがある。そのようなアプリとして、２０２０年４月現在においては、例えばLINE（登録商標）と称するアプリがある。
【０００３】
図３は、従来技術による上記LINEの画面の一つである。なお、本考案の部分と共通する部分および対応する部分には、後に詳述する本考案に関する図１及び図２におけるものと共通の参照番号を付して、その説明を省略する場合がある。
図３に示すように、第３の領域Ｃの中に、文字入力部１、絵文字等に関するボタン２、カーソルを移動させるボタン３等の情報入力部Ｚと、送信ボタンＷとが近接して配置されている。第２の領域Ｂの通信履歴Ｙは、画面をスワイプすることにより、画面内の情報の位置を移動させ、過去の通信履歴Ｙを見ることができるように構成されている。
【０００４】
上記LINEでは、スマホから情報入力部Ｚを利用して文字情報、絵文字情報、写真情報等を入力した後、送信ボタンＷを押すと、それらの情報が外部のデータサーバーに送られる。その際、情報入力部Ｚである文字入力部１、絵文字等に関するボタン２、カーソルを移動させるボタン３等が送信ボタンＷと近接して配置されている結果、作成途中の情報、或いは修正途中の情報等、情報が不完全に入力された状態で、指が意図せずして上記送信ボタンＷに触れてしまい、意図していない情報を送信してしまうことがあるという問題点があった。
【０００５】
特に、上記したLINEの画面では、絵文字等に関するボタン（スタンプのボタン）２が送信ボタンＷ に隣接して配置されており、これも誤送信の大きな一因となっていた。即ち、絵文字等に関するボタン２を多用するスマホの使用者は多く存在し、頻繁に使うボタンの隣に送信ボタンＷが配置されているため、上記した指が意図せずして送信ボタンＷに触れてしまう確率は当然高いものとなり、誤送信が多く発生していた。このことは、カーソルを移動させるボタン３が送信ボタンＷに近接して配置されていることもまた、修正中の不完全な情報を誤送信する原因となっていた。
【考案の概要】
【考案が解決しようとする課題】
【０００６】
上記した意図せざる情報の誤送信は、場合によっては由々しき問題を引き起こすこともある。
そこで本考案は、上述した従来のデータ送信画面が有する実情に鑑みなされたものであって、特に意図せざる情報の送信を少なくすることができる、スマートフォンの画面の配置を提案することを課題とする。
【課題を解決するための手段】
【０００７】
上記した課題を達成するため、本考案は、次の〔１〕〜〔４〕に記載したスマートフォンの画面の配置とした。
〔１〕アプリケーションに情報を入力する情報入力部と、送信するアクションを入力する送信ボタンを含むスマートフォンの画面の配置において、上記送信ボタンが、上記情報入力部から分離された領域に配置されていることを特徴とする、スマートフォンの画面の配置。
〔２〕上記スマートフォンの画面が、既に送信または受信した情報の通信履歴を表示する通信履歴欄を含む第２の領域を備え、上記第２の領域とは独立にその下方に情報を入力する上記情報入力部を含む第３の領域が配置されており、上記第２の領域の内部に送信ボタンが設けられていることと、上記第２の領域の通信履歴の表示はスマートフォンの表面をスワイプすることにより移動するが、そのスワイプによって上記送信ボタンは移動しないことを特徴とする、上記〔１〕に記載のスマートフォンの画面の配置。
〔３〕上記スマートフォンの画面が、既に送信または受信した情報の通信履歴を表示する通信履歴欄を含む第２の領域を備え、上記第２の領域とは独立にその下方に情報を入力する上記情報入力部を含む第３の領域が配置されており、上記第２の領域とは独立にその上方に上記送信ボタンが配置されている第４の領域を備えることを特徴とする、上記〔１〕に記載のスマートフォンの画面の配置。
〔４〕上記アプリケーションが、LINEであることを特徴とする、上記〔１〕〜〔３〕のいずれかに記載のスマートフォンの画面の配置。
【考案の効果】
【０００８】
上記した本考案に係るスマートフォンの画面の配置は、情報を入力する情報入力部と送信するアクションを入力する送信ボタンが分離された領域に配置されているので、情報入力中或いは修正中に意図せずして送信ボタンに指が触れる可能性を可及的に低減することができ、誤送信を防ぐことができる。
【図面の簡単な説明】
【０００９】
【図１】本考案に係るスマートフォンの画面の配置の一実施形態を示した図である。
【図２】本考案に係るスマートフォンの画面の配置の他の実施形態を示した図である。
【図３】従来技術のスマートフォンの画面の配置の一例を示した図である。
【考案を実施するための形態】
【００１０】
図１は、情報を外部データサーバーに送る機能を有するアプリ、例えば、LINE（登録商標）の本考案に係る画面の配置の一実施形態を示した正面図である。
図１に示したように、スマホの画面の上部には、送信相手を示す欄Ｘを含む第１の領域Ａがあり、画面の中央部に、相手との送受信済みの通信履歴Ｙが表示されている第２の領域Ｂがあり、画面の下部には、文字入力部１、絵文字等に関するボタン２、カーソルを移動させるボタン３等の情報を入力する情報入力部Ｚを含む第３の領域Ｃがある。上記第２の領域Ｂの通信履歴Ｙは、画面をスワイプすることにより画面内の情報の位置を移動させ、過去の通信履歴Ｙを見ることができるように構成されている。このスワイプの技術は、従来技術として確立されているので、ここではその説明を省略する。
【００１１】
また、上記第１の領域Ａには、スマホの現在の状態、例えば電波の強さ、Wi-Fi接続の有無、電池の残量等を示す状態表示部４と、その下方に、電話機能を選択するボタン、設定を見るボタン等の他の機能ボタン５をも備えているが、これらの配置は、従来技術と同様でも、また異なる配置としても良い。
【００１２】
図１に示した実施形態においては、中央の第２の領域Ｂの上方部に、送信ボタンＷが配置されている。この送信ボタンＷは、第２の領域Ｂの上辺、或いは、右利き用として右辺に、左利き用として左辺に接するように配置することも可能である。上記第２の領域Ｂの通信履歴Ｙの表示は、上記したようにスマホの表面をスワイプすることにより移動するが、そのスワイプによって上記送信ボタンＷは移動しない。このように構成することは、公知の技術により容易に可能であるので、その技術についての説明は省略する。なお、配置した送信ボタンＷは、図示したように第２の領域Ｂに表示されている通信履歴Ｙの情報の一部を隠すこととなるが、スマホの画面をスワイプすることにより、通信履歴Ｙの情報の位置を移動させて見ることができるので、問題は生じない。
【００１３】
上記した実施形態のスマホの画面の配置によれば、情報入力部Ｚを含む第３の領域Ｃとは離れている第２の領域Ｂに、送信ボタンＷが配置されているので、情報入力部Ｚを操作して情報を入力している際、或いは入力した情報を修正している際に、誤って送信ボタンＷに指が触れてしまうことがなく、誤送信を防止することができる。
【００１４】
図２は、本考案に係る画面の配置の他の実施形態を示した正面図である。
図２に示したように、この画面の配置においても、スマホの画面の上部には、送信相手を示す欄Ｘを含む第１の領域Ａがあり、画面の中央部には、相手との送受信済みの通信履歴Ｙが表示されている第２の領域Ｂがあり、画面の下部には、文字入力部１、絵文字等に関するボタン２、カーソルを移動させるボタン３等の情報を入力する情報入力部Ｚを含む第３の領域Ｃがある。また、この実施形態においても、第１の領域Ａに、スマホの現在の状態、例えば電波の強さ、Wi-Fi接続の有無、電池の残量等を示す状態表示部４と、その下方に、電話機能を選択するボタン、設定を見るボタン等の他の機能ボタン５をも備えている。
【００１５】
図２に示した実施形態では、上部の第１の領域Ａと中央の第２の領域Ｂとの間に、第４の領域Ｄが設けられている。そして、この第４の領域Ｄの中央に、送信ボタンＷが配置されている。なお、この送信ボタンＷは、第４の領域Ｄの中央ではなく、右利き用として第４の領域Ｄの右辺に接するように配置し、左利き用として第４の領域Ｄの左辺に接するように配置することも可能である。
【００１６】
上記した実施形態のスマホの画面の配置においても、情報入力部Ｚを含む第３の領域Ｃとは離れている第４の領域Ｄに、送信ボタンＷが配置されているので、情報入力部Ｚを操作して情報を入力している際、或いは入力した情報を修正している際に、誤って送信ボタンＷに指が触れてしまうことがなく、誤送信を防止することができ、また迷うことなく送信ボタンＷを指で触れて、作成した情報を送信することができる。
【００１７】
以上、本考案に係るスマホの画面の配置の実施形態を説明したが、本考案は、既述の実施形態になんら限定されるものではなく、本考案の要旨を逸脱しない範囲において、種々態様で実施し得ることは勿論である。
【００１８】
例えば、上記実施形態では、第２の領域Ｂ或いは第４の領域Ｄに、送信ボタンＷのみを配置したものを説明したが、例えば、第４の領域Ｄの中で、送信ボタンＷを右利き用として右辺に接するように配置し、左辺に接するように他の機能のボタンを配置することも可能である。但し、この場合、互いに離して配置することは無論、使用頻度の少ない機能ボタンを配置することとして、誤操作を招かないように配慮しなければならないことは言うまでもない。
【００１９】
また、上記実施形態では、アプリとしてLINEを用いた場合の画面の配置を説明したが、Messenger等の他のメッセージアプリ、あるいはSMSの画面の配置であっても、本考案の対象となるものである。
【産業上の利用可能性】
【００２０】
以上、説明した本考案に係るスマホの画面の配置によれば、情報の誤送信を少なくすることができるので、広くスマホの画面の配置、特に、データ送信画面における送信ボタンの配置に利用することができる。
【符号の説明】
【００２１】
Ｘ    送信相手を示す欄
Ｙ    通信履歴
Ｚ    情報入力部
Ｗ    送信ボタン
Ａ    第１の領域
Ｂ    第２の領域
Ｃ    第３の領域
Ｄ    第４の領域
１    文字入力部
２    絵文字等に関するボタン
３    カーソルを移動させるボタン
４    状態表示部
５    他の機能ボタン
【図１】
0003228815.tif 000003
【図２】
0003228815.tif 000004
【図３】
0003228815.tif 000005
【手続補正書】
【提出日】令和2年8月6日(2020.8.6)
【手続補正１】
【補正対象書類名】実用新案登録請求の範囲
【補正対象項目名】全文
【補正方法】変更
【補正の内容】
【実用新案登録請求の範囲】
【請求項１】
画面を備えるスマートフォンであって、上記画面に、情報を入力する情報入力部と送信するアクションを入力する送信ボタンが配置されることと、上記画面の中で、上記送信ボタンが上記情報入力部から分離された領域に配置されることを特徴とする、スマートフォン。
【請求項２】
上記スマートフォンの画面が、既に送信または受信した情報の通信履歴を表示する通信履歴欄を含む第２の領域を備え、上記第２の領域とは独立にその下方に情報を入力する上記情報入力部を含む第３の領域が配置されており、上記第２の領域の内部に上記送信ボタンが設けられていることと、上記第２の領域の通信履歴の表示はスマートフォンの表面をスワイプすることにより移動するが、そのスワイプによって上記送信ボタンは移動しないことを特徴とする、請求項１に記載のスマートフォン。
【請求項３】
上記スマートフォンの画面が、既に送信または受信した情報の通信履歴を表示する通信履歴欄を含む第２の領域を備え、上記第２の領域とは独立にその下方に情報を入力する上記情報入力部を含む第３の領域が配置されており、上記第２の領域とは独立にその上方に上記送信ボタンが配置されている第４の領域を備えることを特徴とする、請求項１に記載のスマートフォン。
【手続補正２】
【補正対象書類名】明細書
【補正対象項目名】全文
【補正方法】変更
【補正の内容】
【考案の詳細な説明】
【技術分野】
【０００１】
本考案は、スマートフォンに関するもので、特に、データ送信画面における送信ボタンの配置に特徴を有するスマートフォンに関するものである。 
【背景技術】
【０００２】
スマートフォン（以下、「スマホ」と称する場合もある。）のアプリケーション（以下、「アプリ」と称する場合もある。）の中には、情報やデータをサーバ―等の外部データシステムに送る機能を備えるものがある。そのようなアプリとして、２０２０年４月現在においては、例えばLINE（登録商標）と称するアプリがある。
【０００３】
図３は、従来技術による上記LINEの画面の一つである。なお、本考案の部分と共通する部分および対応する部分には、後に詳述する本考案に関する図１及び図２におけるものと共通の参照番号を付して、その説明を省略する場合がある。
図３に示すように、第３の領域Ｃの中に、文字入力部１、絵文字等に関するボタン２、カーソルを移動させるボタン３等の情報入力部Ｚと、送信ボタンＷとが近接して配置されている。第２の領域Ｂの通信履歴Ｙは、画面をスワイプすることにより、画面内の情報の位置を移動させ、過去の通信履歴Ｙを見ることができるように構成されている。
【０００４】
上記LINEでは、スマホから情報入力部Ｚを利用して文字情報、絵文字情報、写真情報等を入力した後、送信ボタンＷを押すと、それらの情報が外部のデータサーバーに送られる。その際、情報入力部Ｚである文字入力部１、絵文字等に関するボタン２、カーソルを移動させるボタン３等が送信ボタンＷと近接して配置されている結果、情報を作成中或いは修正中等の情報が不完全に入力された状態で、指が意図せずして上記送信ボタンＷに触れてしまい、意図していない情報を送信してしまうことがあるという問題点があった。
【０００５】
特に、上記したLINEの画面では、絵文字等に関するボタン（スタンプのボタン）２が送信ボタンＷ に隣接して配置されており、これも誤送信の大きな一因となっていた。即ち、絵文字等に関するボタン２を多用するスマホの使用者は多く存在し、頻繁に使うボタンの隣に送信ボタンＷが配置されているため、上記した指が意図せずして送信ボタンＷに触れてしまう確率は当然高いものとなり、誤送信が多く発生していた。このことは、カーソルを移動させるボタン３が送信ボタンＷに近接して配置されていることもまた、修正中の不完全な情報を誤送信する原因となっていた。
【考案の概要】
【考案が解決しようとする課題】
【０００６】
上記した意図せざる情報の誤送信は、場合によっては由々しき問題を引き起こすこともある。
そこで本考案は、上述した従来のデータ送信画面が有する実情に鑑みなされたものであって、特に意図せざる情報の送信を少なくすることができる画面を備えるスマートフォンを提案することを課題とする。
【課題を解決するための手段】
【０００７】
上記した課題を達成するため、本考案は、次の〔１〕〜〔３〕に記載したスマートフォンとした。
〔１〕画面を備えるスマートフォンであって、上記画面に、情報を入力する情報入力部と送信するアクションを入力する送信ボタンが配置されることと、上記画面の中で、上記送信ボタンが上記情報入力部から分離された領域に配置されることを特徴とする、スマートフォン。
〔２〕上記スマートフォンの画面が、既に送信または受信した情報の通信履歴を表示する通信履歴欄を含む第２の領域を備え、上記第２の領域とは独立にその下方に情報を入力する上記情報入力部を含む第３の領域が配置されており、上記第２の領域の内部に上記送信ボタンが設けられていることと、上記第２の領域の通信履歴の表示はスマートフォンの表面をスワイプすることにより移動するが、そのスワイプによって上記送信ボタンは移動しないことを特徴とする、上記〔１〕に記載のスマートフォン。
〔３〕上記スマートフォンの画面が、既に送信または受信した情報の通信履歴を表示する通信履歴欄を含む第２の領域を備え、上記第２の領域とは独立にその下方に情報を入力する上記情報入力部を含む第３の領域が配置されており、上記第２の領域とは独立にその上方に上記送信ボタンが配置されている第４の領域を備えることを特徴とする、上記〔１〕に記載のスマートフォン。
【考案の効果】
【０００８】
上記した本考案に係るスマートフォンは、情報を入力する情報入力部と送信するアクションを入力する送信ボタンが分離された領域に配置される画面を備えるので、情報入力中或いは修正中に意図せずして送信ボタンに指が触れる可能性を可及的に低減することができ、誤送信を防ぐことができる。
【図面の簡単な説明】
【０００９】
【図１】本考案に係るスマートフォンが備える画面の一実施形態を示した正面図である。
【図２】本考案に係るスマートフォンが備える画面の他の実施形態を示した正面図である。
【図３】従来技術のスマートフォンが備える画面の一例を示した正面図である。
【考案を実施するための形態】
【００１０】
図１は、情報を外部データサーバーに送る機能を有するアプリ、例えば、LINE（登録商標）を使う際の本考案に係るスマートフォンが備える画面の一実施形態を示した正面図である。
図１に示したように、スマホの画面の上部には、送信相手を示す欄Ｘを含む第１の領域Ａがあり、画面の中央部に、相手との送受信済みの通信履歴Ｙが表示されている第２の領域Ｂがあり、画面の下部には、文字入力部１、絵文字等に関するボタン２、カーソルを移動させるボタン３等の情報を入力する情報入力部Ｚを含む第３の領域Ｃがある。上記第２の領域Ｂの通信履歴Ｙは、画面をスワイプすることにより画面内の情報の位置を移動させ、過去の通信履歴Ｙを見ることができるように構成されている。このスワイプの技術は、従来技術として確立されているので、ここではその説明を省略する。
【００１１】
また、上記第１の領域Ａには、スマホの現在の状態、例えば電波の強さ、Wi-Fi接続の有無、電池の残量等を示す状態表示部４と、その下方に、電話機能を選択するボタン、設定を見るボタン等の他の機能ボタン５をも備えているが、これらの配置は、従来技術と同様でも、また異なる配置としても良い。
【００１２】
図１に示した実施形態においては、中央の第２の領域Ｂの上方部に、送信ボタンＷが配置されている。この送信ボタンＷは、第２の領域Ｂの上辺、或いは、右利き用として右辺に、左利き用として左辺に接するように配置することも可能である。上記第２の領域Ｂの通信履歴Ｙの表示は、上記したようにスマホの表面をスワイプすることにより移動するが、そのスワイプによって上記送信ボタンＷは移動しない。このように構成することは、公知の技術により容易に可能であるので、その技術についての説明は省略する。なお、配置した送信ボタンＷは、図示したように第２の領域Ｂに表示されている通信履歴Ｙの情報の一部を隠すこととなるが、スマホの画面をスワイプすることにより、通信履歴Ｙの情報の位置を移動させて見ることができるので、問題は生じない。
【００１３】
上記した実施形態のスマホが備える画面によれば、情報入力部Ｚを含む第３の領域Ｃとは離れている第２の領域Ｂに、送信ボタンＷが配置されているので、情報入力部Ｚを操作して情報を入力している際、或いは入力した情報を修正している際に、誤って送信ボタンＷに指が触れてしまうことがなく、誤送信を防止することができる。
【００１４】
図２は、本考案に係るスマホが備える画面の他の実施形態を示した正面図である。
図２に示したように、この画面の配置においても、スマホの画面の上部には、送信相手を示す欄Ｘを含む第１の領域Ａがあり、画面の中央部には、相手との送受信済みの通信履歴Ｙが表示されている第２の領域Ｂがあり、画面の下部には、文字入力部１、絵文字等に関するボタン２、カーソルを移動させるボタン３等の情報を入力する情報入力部Ｚを含む第３の領域Ｃがある。また、この実施形態においても、第１の領域Ａに、スマホの現在の状態、例えば電波の強さ、Wi-Fi接続の有無、電池の残量等を示す状態表示部４と、その下方に、電話機能を選択するボタン、設定を見るボタン等の他の機能ボタン５をも備えている。
【００１５】
図２に示した実施形態では、上部の第１の領域Ａと中央の第２の領域Ｂとの間に、第４の領域Ｄが設けられている。そして、この第４の領域Ｄの中央に、送信ボタンＷが配置されている。なお、この送信ボタンＷは、第４の領域Ｄの中央ではなく、右利き用として第４の領域Ｄの右辺に接するように配置し、左利き用として第４の領域Ｄの左辺に接するように配置することも可能である。
【００１６】
上記した実施形態のスマホが備える画面においても、情報入力部Ｚを含む第３の領域Ｃとは離れている第４の領域Ｄに、送信ボタンＷが配置されているので、情報入力部Ｚを操作して情報を入力している際、或いは入力した情報を修正している際に、誤って送信ボタンＷに指が触れてしまうことがなく、誤送信を防止することができ、また迷うことなく送信ボタンＷを指で触れて、作成した情報を送信することができる。
【００１７】
以上、本考案に係るスマホの実施形態を説明したが、本考案は、既述の実施形態になんら限定されるものではなく、本考案の要旨を逸脱しない範囲において、種々態様で実施し得ることは勿論である。
【００１８】
例えば、上記実施形態では、第２の領域Ｂ或いは第４の領域Ｄに、送信ボタンＷのみを配置したものを説明したが、例えば、第４の領域Ｄの中で、送信ボタンＷを右利き用として右辺に接するように配置し、左辺に接するように他の機能のボタンを配置することも可能である。但し、この場合、互いに離して配置することは無論、使用頻度の少ない機能ボタンを配置することとして、誤操作を招かないように配慮しなければならないことは言うまでもない。
【００１９】
また、上記実施形態では、アプリとしてLINEを用いた場合の画面を説明したが、Messenger等の他のメッセージアプリ、あるいはSMSも、本考案に係るスマートフォンの対象アプリである。
【産業上の利用可能性】
【００２０】
以上、説明した本考案に係るスマートフォンによれば、情報の誤送信を少なくすることができるので、広くスマートフォンが備える画面、特に、データ送信画面における送信ボタンの配置に利用することができる。
【符号の説明】
【００２１】
Ｘ    送信相手を示す欄
Ｙ    通信履歴
Ｚ    情報入力部
Ｗ    送信ボタン
Ａ    第１の領域
Ｂ    第２の領域
Ｃ    第３の領域
Ｄ    第４の領域
１    文字入力部
２    絵文字等に関するボタン
３    カーソルを移動させるボタン
４    状態表示部
５    他の機能ボタン